(57)【要約】【課題】排水管と竪樋の連結部分を細くすっきりとした外観のものに納め、両部材を水密に接続して排水管から流出する雨水を確実に竪樋へと流れ落す。【解決手段】外壁（Ｗ）から突出した排水管（Ｄ）の端部に長円形の継手管（３）を被せて継手管（３）の端部を外壁（Ｗ）に固定し、側面に長円形の受け口（２４）を設けた本体桝（２）を竪樋（Ｇ）に接続し、受け口（２４）に継手管（３）の他端部を接続して排水管（Ｄ）の端部を本体桝（２）内に臨ませるとともに、排水管Ｄの端部に、下方へ突出した水切り面部（５１）を有する水切り板（５）を一体に取り付けて呼び樋（１）を構成する。【選択図】図１
2008111301.tif 000002
【特許請求の範囲】
【請求項１】
建物の外壁から端部を突出させた雨水排水管と竪樋とを接続する呼び樋において、
外壁から突出した排水管の端部に継手管を被せて継手管の一端部を外壁に固定し、側面に受け口を設けた本体桝を竪樋に接続し、本体桝の受け口に継手管の他端部を接続して排水管の端部を本体桝内に臨ませるとともに、当該排水管の端部に下方へ突出した水切り面部を有する水切り板を一体に取り付けた構成を有することを特徴とする呼び樋。
【請求項２】
本体桝の受け口と継手管を上下方向に長い断面長円形に形成し、排水管の端部に取り付けられる水切り板は、水切り面部の裏面上部に、排水管の内外両面に接合する上部突片と下部突片を突出させ、且つ上部突片の中央部に排水管内面と前記水切り面部上端とが面一となる切欠き部を設けて形成されていることを特徴とする請求項１に記載の呼び樋。
【発明の詳細な説明】
【技術分野】
【０００１】
本発明は、バルコニーや陸屋根のルーフドレインに接続した雨水排水管と竪樋とを接続する呼び樋の構造に関する。
【背景技術】
【０００２】
バルコニーに降った雨を排水するため、バルコニーにルーフドレインを設け、その排水口に排水管を接続し、排水管の端部を建物の外壁から引き出して竪樋に接続している。
従来、排水管と竪樋を接続する構造として、例えば図６に示されるように、竪樋Ｇの上端に大きめの集水桝６１を取り付け、この集水桝６１に排水管Ｄの端部を接続したものが知られているが、この構造では建物の外壁Ｗを見上げたときに竪樋Ｇよりも大きな集水桝６１が際立って目立ち、外壁面の見栄えを悪くしてしまう。
そこで、集水桝６１に代えて、図７に示されるように、竪樋Ｇと略同じ断面形状に形成された本体桝７１を竪樋Ｇの上端に取り付け、この本体桝７１の側面に設けた受け口７１ａに排水管Ｄの端部を接続するとともに周囲を継手管７２で覆うことにより、排水管Ｄと竪樋Ｇの連結部分を目立たないように細く納める構造のものが利用されてきている（例えば特許文献１、２参照）。
【０００３】
【特許文献１】実公平６−２２０２６号公報
【特許文献２】特開２００５−１４６６３７号公報
【発明の開示】
【発明が解決しようとする課題】
【０００４】
前記図７に示した本体桝７１と継手管７２を用いる構造のものでは、本体桝７１の受け口７１ａと継手管７２の内径を排水管Ｄの外径よりも十分に大きく設けることで、任意の傾斜角度で取り付けられた排水管Ｄの端部を本体桝７１の受け口７１ａに接続し、排水管Ｄの端部から流出する雨水を本体桝７１から竪樋Ｇへと流し落すことができる。
しかし、排水管Ｄの傾斜角度が小さい場合や、ほとんど水平に取り付けられている場合には、継手管７２の内側下部に水返し片７２ａが設けてあっても、雨水が排水管Ｄの外周面を伝って水返し片７２ａの上方空間へと回り込み、前記隙間から外部へと漏れ出てしまうことがあった。
【０００５】
本発明は従来技術の有するこのような問題点に鑑み、雨水排水管と竪樋を接続する呼び樋において、排水管と竪樋の連結部分を細くすっきりとした外観のものに納めるとともに、両部材を水密に接続して排水管から流出する雨水が確実に竪樋へと流れ落ちるようにすることを課題とする。
【課題を解決するための手段】
【０００６】
前記課題を解決するため本発明の呼び樋は、長円形の継手管と、継手管が接続する長円形の受け口が側面に設けられた本体桝と、下方へ突出した水切り面部を有する水切り板とを備え、外壁から突出した排水管の端部に継手管を被せて継手管の一端部を外壁に固定し、本体桝を竪樋に接続するとともに本体桝の受け口に継手管の他端部を接続して排水管の端部を本体桝内に臨ませ、この排水管の端部に、水切り板を一体に取り付けた構成を有することを特徴とする。
前記水切り板は、水切り面部の裏面上部に、排水管の内外両面に接合する上部突片と下部突片を突出させ、且つ上部突片の中央部に排水管内面と前記水切り面部上端とが面一となる切欠き部を設けて形成してあることが好ましい。
【０００７】
前記構成において、本体桝は、竪樋と略同じ断面形状に形成し、その上下両部に竪樋端部との接続部を設けて形成することができる。本体桝の側面に設ける受け口と継手管は、排水管の外径よりも大きな内径であって長軸を上下方向に向けた長円形に形成することができる。継手管は、その受け口が接続する側の端部を受け口の内側又は外側に嵌合し、周面を接合させて接続する大きさに設け、他側の端部をその内側に排水管が略一杯に嵌る大きさの開口を設けて形成することができる。また、継手管の前記開口の下側には水切り片を設けることができる。
【０００８】
これによれば、排水管の端部に水切り板を一体に取り付けてあるので、水切り板により排水管から流出する雨水が管端後方へと回り込むことを防止でき、雨水を管端前方の本体桝へと流入させて竪樋に確実に流し落すことができる。排水管の端部下方に水切り面部が突出しているので、雨水が排水管の外周面を管端後方へ伝い流れ、継手管と外壁との接合部の隙間から外側に漏れ出ることもない。
また、本体桝の受け口と継手管を上下方向に長い断面長円形に形成することにより、排水管の端部を受け口の内部に嵌め入れた状態で、排水管の端部外周面と受け口内周面の間に空隙ができ、排水管の端部外周面が受け口内周面に衝突する傾斜角度の範囲まで、適宜に傾斜した排水管の端部を、連結部分にストレスを与えることなく継手管に通して受け口に接続することができる。
上記の如く、本体桝と継手管を介して排水管と竪樋を水密に接続することができるので、前記従来例の集水桝の如き大きさに本体桝を形成する必要はなく、本体桝を竪樋と略同じ断面形状に形成して、本体桝を竪樋に取り付けたときに、本体桝が竪樋と一体化した、排水管との連結部分が目立たないすっきりとした外観形状のものに納めることができる。
【発明を実施するための最良の形態】
【０００９】
本発明の好適な一実施形態を図面を参照して説明する。
図１は本発明の一実施形態の呼び樋の構成部材の外観斜視図、図２は構成部材を分離した状態の断面図、図３は水切り板の拡大斜視図、図４は水切り板を排水管に取り付けた状態の正面図と断面図、図５は図１の呼び樋で排水管と竪樋を連結した状態の断面図である。
【００１０】
図示した形態は、建物の外壁Ｗから端部を突出させた断面円形の排水管Ｄと外壁Ｗに沿って取り付けられた断面正方形の竪樋Ｇとを本発明の呼び樋１で接続するものであり、本形態の呼び樋１は、本体桝２と、継手管３と、蓋４と、水切り板５とから構成されている。
【００１１】
本体桝２は、竪樋Ｇと略同じ断面形状の胴部２１を有する筒状をなし、その上部２２を竪樋Ｇの端部外周が内嵌合する大きさに開口させ、下部２３に竪樋Ｇの端部内周が外嵌合するスカート部を設け、側面に継手部３が接続する上下に長く長円形に開口した受け口２４を設けて形成してある。
受け口２４は、その周壁を胴部２１から上方へ傾斜させて適宜な幅突出させた筒形をなし、その内部を胴部２１に形成した開口２５を介して本体桝２内側と連通させてある。開口２５の上部は、胴部２１に沿って受け口２４の根元部から垂下した整流片２６よって逆Ｕ字形に縁取られ、開口２５は受け口２４の開口面よりも小さな長円形に設けてある。また、本体桝２の上部２２の対向壁面には、蓋４を固定する係止孔２７が設けてある。
【００１２】
継手管３は、管長が短い継手管３Ａと長い継手管３Ｂからなり、外壁Ｗからの竪樋Ｇの取り付け間隔に応じて両管を使い分けるようになっている。
両継手管３Ａ、３Ｂは、それぞれ前記受け口２４と略同じ長円形の断面を有する筒状をなし、その先端部３１が受け口２４に外嵌合し得る大きさで開口し、基端部３２の端部内面に排水管Ｄが略一杯に嵌入する円形の開口３３を設けてある。この開口３３は、その周縁をテーパ面によって内方傾斜させてあるとともに、その中心を長円形に画される先端部端面の中心から上方へ偏倚させた位置に設けてある。また、基端部３２の上下外周には、外方へ張り出した鍔部３４、３４を設け、両鍔部の面内にビスなどの固着具６が挿通する通孔３４ａを形成してある。
また、継手管３Ａの基端部３２内側であって開口３３の下側には、先端部３１側へ適宜な幅で突出して略Ｕ字形に湾曲した水返し片３５を設けてある。
【００１３】
蓋４は、中央に通孔４１を有する平面視正方形の頂部４２の下部に、本体桝２の上部２２に内嵌合する上段部４３と竪樋Ｇの上端部に内嵌合する下段部４４とを一体に連ねて設け、本体桝２と竪樋Ｇの何れの端部にも取り付けて開口を閉塞することができるように形成してある。上段部４３の対向外面には、本体桝２の係止孔２７に係合する突起４５を設けてある。
【００１４】
水切り板５は、図３に示されるように、適宜な上下高さ及び左右幅を有して弓形に湾曲してなる水切り面部５１の裏面上部に、排水管Ｄの内面に接合する上部突片５２と下面に接合する下部突片５３とを平行に突出させた形状に設けてある。
より詳しくは、上部突片５２は水切り面部５１の上端から直角に折れて水切り面部５１の後方へ突出させ、下部突片５３は上部突片５２との間に排水管Ｄの肉厚分の幅だけ離れた下方位置から上部突片５２と平行に水切り面部５１の後方へ突出させてある。両突片は、上部突片５２が排水管Ｄの内周半径、下部突片５３が外周半径に沿ってそれぞれ湾曲しており、また、上部突片５２はその中央部に切欠き部５４を設けて左右に二分してある。
水切り板５は、図４に示されるように、排水管Ｄの端部下縁を上部突片５２と下部突片５３の間に挟み入れて排水管Ｄの管端に取り付けられ、排水管Ｄに取り付けた状態で、同図（Ｂ）に示されるように、排水管Ｄの管端から垂直下方に水切り面部５１が突出し、また、排水管Ｄの内面と切欠き部５４内に面した水切り面部５１の端部とが面一となるように設けてある。
【００１５】
図５は管長が短い継手管３Ａを用いて排水管Ｄと竪樋Ｇを呼び樋１で接続した構成を示しており、排水管Ｄと竪樋Ｇの接続は以下の施工手順により行うことができる。
先ず、予め下方傾斜させて取り付けられた排水管Ｄの外周と外壁Ｗとの隙間にコーキング材７を充填して隙間を埋めておき、外壁Ｗから突出した排水管Ｄの端部に継手管３Ａの開口３３を通して継手管３Ａを被せるとともに、継手管３Ａの基端部３２を外壁Ｗに接合し、上下の鍔部３４、３４の通孔３４ａ、３４ａから釘やビスなどの固着具６を外壁Ｗに打ち込んで継手管３Ａを外壁Ｗに固定する。
次いで、水切り板５の上部突片５２と下部突片５３の表面に接着剤と塗布し、これを排水管Ｄの端部下縁に装着して、水切り板５を排水管Ｄの管端に一体に固定する。
そして、外壁Ｗに沿って取り付けられた竪樋Ｇの上端に本体桝２の下部２３を接続して取り付ける一方、本体桝２の受け口２４に継手管３Ａの先端部３１を外嵌合させて継手管３Ａを受け口２４に接続し、さらに本体桝２の上部２２に蓋４を取り付けることにより接続作業が完了する。なお、各部材同士の接続部分は接着剤により一体に固着される。
外壁Ｗと竪樋Ｇとの間隔が大きい場合は、継手管３Ａに代えて、管長が長い継手管３Ｂを用いることができる。
【００１６】
本形態の呼び樋１によれば、排水管Ｄの端部に水切り板５を一体に取り付けてあるので、水切り板５で排水管Ｄから流出する雨水が管端後方へと回り込むことを防ぎ、雨水を排水管Ｄの端部が面する本体桝２内の開口２５内へと流し入れ、竪樋Ｇへと確実に流し落すことができる。排水管Ｄの端部下方に水切り面部５１が突出しているので、雨水が排水管Ｄの外周面を管端後方へ伝い流れることもなく、また、継手管３Ａの水返し片３５によっても、継手管３Ａ内の雨水が外壁Ｗとの隙間から漏れ出ることを防止することができる。
【００１７】
また、本体桝２の受け口２４と継手管３が長円形に設けてあるので、排水管Ｄの端部を受け口２４の内部に嵌め入れた状態で、排水管Ｄの端部外周面と受け口２４内周面の間に空隙ができ、排水管Ｄの端部外周面が受け口２４内周面に衝突する傾斜角度の範囲まで、適宜に傾斜した排水管Ｄの端部を、連結部分にストレスを与えることなく継手管３の開口３３を通して受け口２４に接続することができる。さらに、本体桝２を竪樋Ｇと略同じ断面形状に形成してあるので、本体桝２は竪樋Ｇと一体化した外観のものとなり、連結部分を目立たなく納めることができる。
【００１８】
なお、図示した呼び樋の形態は一例であり、本発明は他の適宜な形態で構成可能である。例えば接続すべき竪樋が断面円形の丸型の場合、本体桝はそれに合わせて断面円形に形成することができる。
【図面の簡単な説明】
【００１９】
【図１】本発明の一実施形態の呼び樋の構成部材を分離した状態の斜視図である。
【図２】図１の構成部材の断面図である。
【図３】水切り板の拡大斜視図である。
【図４】水切り板を排水管に取り付けた状態の正面図（Ａ）と断面図（Ｂ）である。
【図５】図１の呼び樋で排水管と竪樋を連結した状態の構成断面図である。
【図６】従来の集水桝を用いて排水管と竪樋を連結した状態の断面図である。
【図７】従来の呼び樋を用いて排水管と竪樋を連結した状態の断面図である。
【符号の説明】
【００２０】
１  呼び樋、２  本体桝、２４  受け口  ３、３Ａ、３Ｂ  継手管、４  蓋、５  水切り板、５１  水切り面部、５２  上部突片、５３  下部突片、５４  切欠き部、Ｄ 排水管、Ｇ 竪樋、Ｗ 外壁
【図１】
2008111301.tif 000003
【図２】
2008111301.tif 000004
【図３】
2008111301.tif 000005
【図４】
2008111301.tif 000006
【図５】
2008111301.tif 000007
【図６】
2008111301.tif 000008
【図７】
2008111301.tif 000009